(57)【要約】      （修正有）【課題】ユーザーの嗜好を反映した投稿者の選択を容易にする投稿情報の表示システム、サーバ、端末装置、表示方法およびプログラムを提供する。【解決手段】投稿情報を配信可能なＳＮＳサーバ２００と、投稿情報を表示可能なスマートフォン１００とを備える。ＳＮＳサーバは、投稿情報を受信し、蓄積する投稿情報ＤＢ２２２と、スマートフォンから投稿者のフォロー情報に基づきフォロー／フォロワーの関係を管理する管理手段と、新規な投稿情報があったことを通知すべきユーザーを特定するユーザー特定手段と、新規な投稿情報を提供する新規投稿情報提供手段とを含む。スマートフォンは、投稿情報および新規投稿情報を表示する投稿情報表示手段と、投稿情報に含まれる地点を目的地に設定する設定手段と、投稿情報の投稿者をフォローに決定するフォロー決定手段と、フォロー情報をＳＮＳサーバに通知する通知手段とを含む。【選択図】図３
2014135026.tif 000002
【特許請求の範囲】
【請求項１】
投稿情報を配信可能なサーバと、サーバからの投稿情報を表示可能な端末装置とを備えた表示システムであって、
前記サーバは、
投稿者によって投稿され、少なくとも地点情報を含む投稿情報を受信する受信手段と、
受信した投稿情報を蓄積する蓄積手段と、
前記蓄積手段に蓄積された投稿情報を前記端末装置に送信する送信手段と、
前記端末装置から投稿者の嗜好に関する情報を受け取り、当該投稿者の嗜好に関する情報に基づき、前記端末装置のユーザーと投稿者との関係を管理する管理手段と、
前記受信手段が投稿者から前記投稿情報を受信したとき、その投稿者の新規投稿があったことを通知すべきユーザーを前記管理手段の管理結果に基づいて特定するユーザー特定手段と、
前記ユーザー特定手段で特定されたユーザーの端末装置に対し、前記新規投稿の情報を提供する新規投稿情報提供手段を含み、
前記端末装置は、
前記送信手段から送信された投稿情報及び前記新規投稿情報提供手段から提供された前記新規投稿の情報を表示する投稿情報表示手段と、
前記表示された投稿情報に含まれる地点を目的地に設定する設定手段と、
前記設定手段が実行されたとき、目的地に設定された地点を含む投稿情報の投稿者に基づき前記投稿者の嗜好に関する情報を決定する決定手段と、
前記決定手段により決定された前記投稿者の嗜好に関する情報を前記サーバに通知する通知手段とを含む、表示システム。
【請求項２】
前記決定手段は、目的地に設定された地点を含む投稿情報の投稿者の選択回数が一定数を超えた場合に、当該投稿者がユーザーの嗜好に含まれるように前記投稿者の嗜好に関する情報を決定する、請求項１に記載の表示システム。
【請求項３】
前記決定手段は、一定期間内に実施された全ての目的地設定の回数における当該投稿者の選択の割合が一定値を越えた場合に、当該投稿者がユーザーの嗜好に含まれるように前記投稿者の嗜好に関する情報を決定する、請求項１に記載の表示システム。
【請求項４】
前記設定手段はさらに、目的地までの誘導経路を案内する案内者を選択する案内者選択手段を含み、前記決定手段は、前記選択された案内者に基づき前記投稿者の嗜好に関する情報を決定する、請求項２または３に記載の表示システム。
【請求項５】
前記投稿者の嗜好に関する情報は、ユーザーがフォローする投稿者の識別情報である、請求項１ないし４いずれか１つに記載の表示システム。
【請求項６】
前記投稿者は、予め定められた人物である、請求項１ないし５いずれか１つ記載の表示システム。
【請求項７】
端末装置に投稿情報を配信するサーバであって、
投稿者によって投稿され、少なくとも地点情報を含む投稿情報を受信する受信手段と、
受信した投稿情報を蓄積する蓄積手段と、
前記端末装置からの要求に応じて、前記蓄積手段に蓄積された投稿情報を送信する送信手段と、
前記投稿情報に含まれる地点を目的地に設定したことに関する情報を前記端末装置から受け取ったとき、目的地に設定された地点を含む投稿情報の投稿者に基づき投稿者の嗜好に関する情報を決定する決定手段と、
前記投稿者の嗜好に関する情報に基づき前記端末装置のユーザーと投稿者との関係を管理する管理手段と、
前記受信手段が投稿者から前記投稿情報を受信したとき、その投稿者の新規投稿があったことを通知すべきユーザーを前記管理手段の管理結果に基づいて特定するユーザー特定手段と、
前記ユーザー特定手段で特定されたユーザーの端末装置に対し、前記新規投稿の情報を提供する新規投稿情報提供手段とを含む、サーバ。
【請求項８】
前記決定手段はさらに、目的地までの誘導経路を案内する案内者を選択する案内者選択情報を前記端末装置から受け取ったとき、当該案内者選択情報に基づき前記投稿者の嗜好に関する情報を決定する、請求項７に記載のサーバ。
【請求項９】
サーバから配信される投稿情報を表示可能な端末装置であって、
前記サーバに対して投稿情報を要求する要求手段と、
前記要求手段に応答して前記サーバから送信された投稿情報を表示する投稿情報表示手段と、
前記表示された投稿情報に含まれる地点を目的地に設定する設定手段と、
前記設定手段が実行されたとき、目的地に設定された地点を含む投稿情報の投稿者に基づき投稿者の嗜好に関する情報を決定する決定手段と、
前記決定手段により決定された前記投稿者の嗜好に関する情報を前記サーバに通知する通知手段と、
前記投稿者の嗜好に関する情報に基づき前記サーバから提供された新規投稿通知情報を表示する新規投稿表示手段とを含む、端末装置。
【請求項１０】
前記決定手段は、目的地に設定された地点を含む投稿情報の投稿者の選択回数が一定数を超えた場合に、当該投稿者がユーザーの嗜好に含まれるように前記投稿者の嗜好に関する情報を決定する、請求項９に記載の端末装置。
【請求項１１】
前記決定手段は、一定期間内に実施された全ての目的地設定の回数における当該投稿者の選択の割合が一定値を越えた場合に、当該投稿者がユーザーの嗜好に含まれるように前記投稿者の嗜好に関する情報を決定する、請求項９に記載の端末装置。
【請求項１２】
前記設定手段はさらに、目的地までの誘導経路を案内する案内者を選択する案内者選択手段を含み、前記決定手段は、前記選択された案内者に基づき前記投稿者の嗜好に関する情報を決定する、請求項９に記載の端末装置。
【請求項１３】
投稿情報を配信可能なサーバと、サーバからの投稿情報を表示可能な端末装置とを備えた表示システムの表示方法であって、
前記サーバは、
投稿者によって投稿され、少なくとも地点情報を含む投稿情報を受信する受信ステップと、
前記受信した投稿情報を蓄積する蓄積ステップと、
前記端末装置からの要求に応じて、前記蓄積ステップで蓄積された投稿情報を前記端末装置に送信する送信する送信ステップと、
前記端末装置から投稿者の嗜好に関する情報を受け取り、当該投稿者の嗜好に関する情報に基づき前記端末装置のユーザーと投稿者との関係を管理する管理ステップと、
前記受信ステップにより投稿者から前記投稿情報を受信したとき、その投稿者の新規投稿があったことを通知すべきユーザーを前記管理ステップの結果に基づいて特定する特定ステップと、
前記ユーザー特定ステップで特定されたユーザーの端末装置に対し、前記新規投稿の情報を提供する提供ステップをと含み、
前記端末装置は、
前記サーバに対して投稿情報の送信を要求する要求ステップと、
前記送信ステップから送信された投稿情報を表示する第１表示ステップと、
表示された投稿情報に含まれる地点を目的地に設定する設定ステップと、
前記設定ステップが実行されたとき、目的地に設定された地点を含む投稿情報の投稿者に基づき前記投稿者の嗜好に関する情報を決定する決定ステップと、
前記決定ステップにより決定された前記投稿者の嗜好に関する情報を前記サーバに通知する通知ステップと、
前記提供ステップにより提供された前記新規投稿の情報を表示する第２表示ステップと含む、表示方法。
【請求項１４】
前記決定するステップは、目的地に設定された地点を含む投稿情報の投稿者の選択回数が一定数を超えた場合に、当該投稿者がユーザーの嗜好に含まれるように前記投稿者の嗜好に関する情報を決定する、請求項１３に記載の表示方法。
【請求項１５】
前記決定するステップは、一定期間内に実施された全ての目的地設定の回数における当該投稿者の選択の割合が一定値を越えた場合に、当該投稿者がユーザーの嗜好に含まれるように前記投稿者の嗜好に関する情報を決定する、請求項１３に記載の表示方法。
【請求項１６】
サーバから配信される投稿情報を表示可能な端末装置によって実行されるプログラムであって、
前記端末装置に、
前記サーバに対して投稿情報を要求するステップと、
前記要求に応答して前記サーバから送信された投稿情報を表示するステップと、
前記表示された投稿情報に含まれる地点を目的地に設定するステップと、
前記設定するステップが実行されたとき、目的地に設定された地点を含む投稿情報の投稿者に基づき投稿者の嗜好に関する情報を決定するステップと、
前記決定するステップにより決定された前記投稿者の嗜好に関する情報を前記サーバに通知するステップと、
前記投稿者の嗜好に関する情報に基づき前記サーバから提供された新規投稿通知情報を表示するステップとを実行させる、プログラム。
【請求項１７】
前記決定するステップは、目的地に設定された地点を含む投稿情報の投稿者の選択回数が一定数を超えた場合に、当該投稿者がユーザーの嗜好に含まれるように前記投稿者の嗜好に関する情報を決定する、請求項１６に記載のプログラム。
【請求項１８】
前記決定するステップは、一定期間内に実施された全ての目的地設定の回数における当該投稿者の選択の割合が一定値を越えた場合に、当該投稿者がユーザーの嗜好に含まれるように前記投稿者の嗜好に関する情報を決定する、請求項１７に記載のプログラム。
【発明の詳細な説明】
【技術分野】
【０００１】
本発明は、投稿者から投稿された投稿情報を表示する表示システム、サーバ、端末装置、表示方法およびプログラムに関する。
【背景技術】
【０００２】
スマートフォンに代表される携帯型多機能端末等の通信を利用した種々のサービスが展開されている。その中で、近年特に、ツイッター（登録商標）、Ｆａｃｅｂｏｏｋ（登録商標）などのソーシャル・ネットワーキング・サービス（以下、ＳＮＳ）が普及している。ＳＮＳでは、ユーザーは、スマートフォンや携帯電話、パーソナルコンピュータ（以下、ＰＣ）などを用いて様々な情報を投稿し、投稿された情報をＳＮＳサーバに蓄積し、ＳＮＳサーバに蓄積された情報がユーザーによって閲覧することができる。ユーザーは、投稿する際に、投稿した位置と投稿内容を対応付けることができるため、ＳＮＳサーバには、投稿者を識別するアカウント、投稿日時、投稿した位置を示す位置情報、および投稿内容などを含む投稿情報が蓄積される。
【０００３】
電子掲示板に新規投稿があった際に、通知対象者の選定と、通知対象者にたいする通知とを自動的に実施する新着投稿情報通知システムが開示されている（特許文献１）、また、ある特定の情報を真に配信すべきユーザーに対してのみ、自動的にユーザーを選択してその情報を配信する情報投稿システムが開示されている（特許文献２）。この特許文献１では、閲覧者ＩＤと投稿者ＩＤを対応付けし、投稿者が新規に投稿を行ったとき、対応付けられた閲覧者の端末に新着情報を通知するものである。
【０００４】
他方、ユーザーが車両に乗車する際に、携帯電話などの携帯端末で利用しているＳＮＳを引き続き車内でも利用したいという要望があり、ＳＮＳサーバから取得した投稿情報を表示させ、さらに自車位置から投稿メッセージを投稿した位置まで経路案内をする車載用表示装置が開示されている（特許文献３）。
【先行技術文献】
【特許文献】
【０００５】
【特許文献１】特開２００３−２５６３２２号  公報
【特許文献２】特開２００９−４２９０１号  公報
【特許文献３】特開２０１１−２４７８３２号  公報
【発明の概要】
【発明が解決しようとする課題】
【０００６】
ナビゲーション装置の経路案内機能では、地図を用いて案内を行うことが一般的であるが、このような手法は、口コミ情報などの投稿情報を提供するサービスとは世界観が大きく異なる。そこで、著名人等の投稿者の口コミ情報などから目的地を検索し、その著名人に経路案内をさせることで、今までにない世界観で経路案内を実現することが可能になる。この場合、ユーザーにとって、自分の嗜好にあった投稿者の投稿情報を他の投稿者よりも優先して見たいという願望が生じる。また、投稿情報が投稿された時点で、即座に、その投稿情報を閲覧したいという要求もある。
【０００７】
自分の嗜好の投稿者からの投稿情報を地帯なく閲覧できるようにするためには、そのような投稿者を事前に選択する必要がある。しかし、投稿者の数が多数になると、その中から自分の嗜好にあった投稿者を検索し、これを逐次設定するのは、ユーザーにとって非常に煩雑な作業となる。
【０００８】
本発明は、ユーザーの嗜好を反映した投稿者の選択を容易にすることができる投稿情報の表示システム、サーバ、端末装置、表示方法およびプログラムを提供することを目的とする。
【課題を解決するための手段】
【０００９】
本発明に係る表示システムは、投稿情報を配信可能なサーバと、サーバからの投稿情報を表示可能な端末装置とを備えたものであって、前記サーバは、投稿者によって投稿され、少なくとも地点情報を含む投稿情報を受信する受信手段と、受信した投稿情報を蓄積する蓄積手段と、前記蓄積手段に蓄積された投稿情報を前記端末装置に送信する送信手段と、前記端末装置から投稿者の嗜好に関する情報を受け取り、当該投稿者の嗜好に関する情報に基づき、前記端末装置のユーザーと投稿者との関係を管理する管理手段と、前記受信手段が投稿者から前記投稿情報を受信したとき、その投稿者の新規投稿があったことを通知すべきユーザーを前記管理手段の管理結果に基づいて特定するユーザー特定手段と、前記ユーザー特定手段で特定されたユーザーの端末装置に対し、前記新規投稿の情報を提供する新規投稿情報提供手段を含み、前記端末装置は、前記送信手段から送信された投稿情報及び前記新規投稿情報提供手段から提供された前記新規投稿の情報を表示する投稿情報表示手段と、前記表示された投稿情報に含まれる地点を目的地に設定する設定手段と、前記設定手段が実行されたとき、目的地に設定された地点を含む投稿情報の投稿者に基づき前記投稿者の嗜好に関する情報を決定する決定手段と、前記決定手段により決定された前記投稿者の嗜好に関する情報を前記サーバに通知する通知手段とを含む。好ましくは前記決定手段は、目的地に設定された地点を含む投稿情報の投稿者の選択回数が一定数を超えた場合に、当該投稿者がユーザーの嗜好に含まれるように前記投稿者の嗜好に関する情報を決定する。好ましくは前記決定手段は、一定期間内に実施された全ての目的地設定の回数における当該投稿者の選択の割合が一定値を越えた場合に、当該投稿者がユーザーの嗜好に含まれるように前記投稿者の嗜好に関する情報を決定する。好ましくは前記設定手段はさらに、目的地までの誘導経路を案内する案内者を選択する案内者選択手段を含み、前記決定手段は、前記選択された案内者に基づき前記投稿者の嗜好に関する情報を決定する。好ましくは前記投稿者の嗜好に関する情報は、ユーザーがフォローする投稿者の識別情報である。好ましくは前記投稿者は、予め定められた人物である。
【００１０】
本発明に係るサーバは、端末装置に投稿情報を配信するものであって、投稿者によって投稿され、少なくとも地点情報を含む投稿情報を受信する受信手段と、受信した投稿情報を蓄積する蓄積手段と、前記端末装置からの要求に応じて、前記蓄積手段に蓄積された投稿情報を送信する送信手段と、前記投稿情報に含まれる地点を目的地に設定したことに関する情報を前記端末装置から受け取ったとき、目的地に設定された地点を含む投稿情報の投稿者に基づき投稿者の嗜好に関する情報を決定する決定手段と、前記投稿者の嗜好に関する情報に基づき前記端末装置のユーザーと投稿者との関係を管理する管理手段と、前記受信手段が投稿者から前記投稿情報を受信したとき、その投稿者の新規投稿があったことを通知すべきユーザーを前記管理手段の管理結果に基づいて特定するユーザー特定手段と、前記ユーザー特定手段で特定されたユーザーの端末装置に対し、前記新規投稿の情報を提供する新規投稿情報提供手段とを含む。
【００１１】
本発明に係る端末装置は、サーバから配信される投稿情報を表示可能なものであって、前記サーバに対して投稿情報を要求する要求手段と、前記要求手段に応答して前記サーバから送信された投稿情報を表示する投稿情報表示手段と、前記表示された投稿情報に含まれる地点を目的地に設定する設定手段と、前記設定手段が実行されたとき、目的地に設定された地点を含む投稿情報の投稿者に基づき投稿者の嗜好に関する情報を決定する決定手段と、前記決定手段により決定された前記投稿者の嗜好に関する情報を前記サーバに通知する通知手段と、前記投稿者の嗜好に関する情報に基づき前記サーバから提供された新規投稿通知情報を表示する新規投稿表示手段とを含む。
【００１２】
本発明に係る表示方法は、投稿情報を配信可能なサーバと、サーバからの投稿情報を表示可能な端末装置とを備えた表示システムのものであって、前記サーバは、投稿者によって投稿され、少なくとも地点情報を含む投稿情報を受信する受信ステップと、前記受信した投稿情報を蓄積する蓄積ステップと、前記端末装置からの要求に応じて、前記蓄積ステップで蓄積された投稿情報を前記端末装置に送信する送信する送信ステップと、前記端末装置から投稿者の嗜好に関する情報を受け取り、当該投稿者の嗜好に関する情報に基づき前記端末装置のユーザーと投稿者との関係を管理する管理ステップと、前記受信ステップにより投稿者から前記投稿情報を受信したとき、その投稿者の新規投稿があったことを通知すべきユーザーを前記管理ステップの結果に基づいて特定する特定ステップと、前記ユーザー特定ステップで特定されたユーザーの端末装置に対し、前記新規投稿の情報を提供する提供ステップをと含み、前記端末装置は、前記サーバに対して投稿情報の送信を要求する要求ステップと、前記送信ステップから送信された投稿情報を表示する第１表示ステップと、表示された投稿情報に含まれる地点を目的地に設定する設定ステップと、前記設定ステップが実行されたとき、目的地に設定された地点を含む投稿情報の投稿者に基づき前記投稿者の嗜好に関する情報を決定する決定ステップと、前記決定ステップにより決定された前記投稿者の嗜好に関する情報を前記サーバに通知する通知ステップと、前記提供ステップにより提供された前記新規投稿の情報を表示する第２表示ステップと含む。
【００１３】
本発明に係るプログラムは、サーバから配信される投稿情報を表示可能な端末装置によって実行されるものであって、前記端末装置に、前記サーバに対して投稿情報を要求するステップと、前記要求に応答して前記サーバから送信された投稿情報を表示するステップと、前記表示された投稿情報に含まれる地点を目的地に設定するステップと、前記設定するステップが実行されたとき、目的地に設定された地点を含む投稿情報の投稿者に基づき投稿者の嗜好に関する情報を決定するステップと、前記決定するステップにより決定された前記投稿者の嗜好に関する情報を前記サーバに通知するステップと、前記投稿者の嗜好に関する情報に基づき前記サーバから提供された新規投稿通知情報を表示するステップとを実行させる。
【発明の効果】
【００１４】
本発明によれば、投稿情報に含まれる地点を目的地に設定するとき、投稿情報の投稿者に基づき投稿者の嗜好に関する情報を決定するようにしたので、ユーザーにとっての投稿者の嗜好に関する情報の設定手続きを容易にすることができる。また、投稿者の嗜好に関する情報に基づき投稿情報が配信されるようにしたので、ユーザーは、お気に入りの投稿者の投稿情報を迅速に閲覧することができる。
【図面の簡単な説明】
【００１５】
【図１】本発明の実施例に係る表示システムの利用態様の一例を示す図である。
【図２】本発明の実施例に係る表示システムの構成例を示す図である。
【図３】本実施例の表示システムの内部構成の一例を示す図である。
【図４】スマートフォンの制御部の主な機能ブロック図である。
【図５】スマートフォンから投稿情報を投稿するときの動作例を説明するフローチャートである。
【図６】投稿者が口コミ等の投稿をしたときに生成される投稿情報の一例を示す図である。
【図７Ａ】地図上に投稿情報を表示する例である。
【図７Ｂ】リスト状に投稿情報を表示する例である。
【図７Ｃ】タブによる投稿者の投稿情報の表示を切り替える例である。
【図８】ＳＮＳサーバの制御部の主な機能ブロック図である。
【図９Ａ】ＳＮＳサーバに構成される投稿情報のデータベースの一例を示す図である。
【図９Ｂ】投稿者のデータベースの一例を示す図である。
【図１０】フォロー／フォロワー管理部の管理テーブルの一例を示す図である。
【図１１】管理テーブルの作成、更新の動作を説明するフローチャートである。
【図１２】投稿情報の選択動作を説明するフローチャートである。
【図１３】本発明の第１の実施例に係る表示システムの投稿情報の表示動作を説明するフローである。
【図１４】ユーザー操作によってフォローする投稿者を選択するときの動作を説明するフローチャートである。
【図１５】投稿者リストの表示画面の一例を示す図である。
【図１６】本発明の第２の実施例に係る表示システムの投稿情報の表示動作を説明するフローである。
【図１７】本発明の第３の実施例に係る表示システムの投稿情報の表示動作を説明するフローである。
【発明を実施するための形態】
【００１６】
次に、本発明の実施の形態について図面を参照して詳細に説明する。本発明の表示システムで利用される端末装置は、スマートフォン（多機能型携帯電話）、携帯電話、ノート型ＰＣ、タブレット型ＰＣ、パーソナルコンピュータ、その他の通信機能を備えた電子装置であることができ、端末装置は、通信機能を利用してサーバから配信された投稿情報や投稿情報に含まれる地点を目的地に設定する機能を備えている。また、本発明の端末装置は、ユーザーが歩行中に使用したり、車両等の移動体内で使用することができ、後者の場合、端末装置は、移動体内に設置された車載機器と連携することが可能である。さらに本発明の端末装置は、投稿情報や誘導経路の案内情報を表示する機能以外に、投稿情報を投稿する機能、ナビゲーション機能、オーディオ・ビデオデータを再生する機能、テレビ・ラジオ放送を受信する機能などを備えることも可能である。
【００１７】
本発明の表示システムで利用されるサーバは、インターネット、イントラネット等のネットワーク上に接続され、投稿者からの投稿情報や投稿者自身の案内情報をデータベース化し、サーバにアクセスしたユーザーに投稿情報や案内情報を配信することが可能である。好ましい態様では、投稿者は、予め決められた人物あるいは著名人であり、これらの著名人による投稿情報や案内情報を、ユーザーに配信する。著名人は、全国または特定の地域に在住する有名人、特定の年齢層の人物、特定のことに専門性をもつ人物、全国または特定の地域で人気のある人物などである。但し、投稿者は、必ずしもこのような著名人に限られず、一般人であってもよい。
【００１８】
投稿者によって投稿される投稿情報のフォーマット等は任意であるが、好ましい態様では、投稿情報には、投稿者を識別する識別情報、投稿内容、投稿者の投稿位置または投稿内容の位置を表す位置情報、投稿日時などが含まれる。但し、位置情報の付加は任意であり、投稿者は、必要に応じて位置情報を省略することができる。好ましい態様では、投稿者を識別する識別情報は、投稿者の静止画または動画を含むことができ、端末装置において投稿情報を表示させるとき、投稿者の静止画または動画を表示させることができる。
【実施例】
【００１９】
次に、本発明の実施例に係る表示システムについて図面を参照して説明する。図１は、本実施例の表示システムにおいて実現されるＳＮＳ（Social Network Service）の１つの利用態様を例示する。同図において、タレント、ブロガー、有名人、著名人等の投稿者Ｐ１、Ｐ２、Ｐ３は、自身にとって興味のある口コミ等の情報を投稿情報としてＳＮＳサーバへアップロードし、それらの投稿情報がＳＮＳサーバのデータベースＤＢに順次蓄積される。好ましくは投稿者Ｐ１、Ｐ２、Ｐ３は、当該ＳＮＳにおいて予め登録された人物であり、それぞれ固有の識別情報を有している。投稿者Ｐ１、Ｐ２、Ｐ３は、例えば、スマートフォン等を利用して投稿情報をアップロードする。
【００２０】
一方、ユーザーＵ１、Ｕ２、Ｕ３は、例えば、スマートフォンを介してＳＮＳサーバにアクセスし、ＳＮＳサーバから投稿情報をダウンロードする。好ましくは、スマートフォンには、当該ＳＮＳを利用するためのアプリケーションソフトウエアが実装され、当該アプリケーションの実行により、ＳＮＳサーバへのアクセス、投稿情報のダウンロード、投稿情報の表示、投稿情報で特定される位置までの案内情報の表示が実行される。好ましい態様では、ユーザーは、ＳＮＳサーバにユーザーアカウントの認証を行った後、投稿情報の配信の要求がＳＮＳサーバに送信され、ＳＮＳサーバは、投稿情報を配信する。スマートフォンに配信された投稿情報は、アプリケーションの制御下においてディスプレイに表示され、ユーザーＵ１、Ｕ２、Ｕ３は、投稿者Ｐ１、Ｐ２、Ｐ３の投稿情報を閲覧することができる。ユーザーＵ１、Ｕ２、Ｕ３はさらに、表示した投稿情報のいずれかを目的地に設定することができる。投稿情報の目的地が設定されると、スマートフォンまたはＳＮＳサーバによって目的地までの誘導経路が探索され、スマートフォンにおいて誘導経路の案内が行われる。好ましい態様では、ユーザーＵ１は、自分の嗜好に合致した投稿者を選択し、当該投稿者の投稿情報を閲覧したり、当該投稿者の経路案内を受けることができる。
【００２１】
図２は、本実施例の表示システムの構成例を示す図である。本実施例の案内システム１０は、インターネット等のネットワークＮＷに、サーバ２０、３０、スマートフォン４０、５０、６０、パーソナルコンピュータ７０などが接続される。投稿者は、例えば、スマートフォン４０〜６０またはＰＣ７０を介して投稿情報をＳＮＳサーバ２０、３０に投稿することができる。他方、ＳＮＳのユーザーもまた、スマートフォン４０〜６０やＰＣ７０を介して投稿情報や誘導経路の案内情報をサーバ２０、３０から取得し、各自の端末で投稿情報や案内情報を表示させることができる。また、スマートフォン５０が車両に持ち込まれた場合には、スマートフォン５０は、ＵＳＢや近距離無線通信等の接続手段９０により車載機８０に接続され、車載機８０のディスプレイに投稿情報８２や案内情報を表示させることができる。好ましくは、スマートフォン４０〜６０には、ＳＮＳアプリケーション５２が搭載され、ＳＮＳを利用するとき、当該アプリケーション５２が実行される。
【００２２】
図３は、第１の実施例に係る表示システムの具体的な構成例を示す図である。本例では、投稿者がスマートフォン１００を利用して投稿情報をＳＮＳサーバ２００に投稿し、ユーザーがスマートフォン１００を利用してＳＮＳサーバから投稿情報を受信しこれを表示させる。また、スマートフォン１００において、投稿情報に含まれる投稿位置を目的地に設定し、投稿位置までの誘導経路を案内することが可能である。
【００２３】
スマートフォン１００は、図３に示すように、投稿者またはユーザーからの指示を入力する入力部１１０、表示部１２０、スマートフォン１００の現在位置を算出する現在位置算出部１３０、インターネット等を介してサーバ等とデータ通信を行う通信部１４０、データやプログラムなどを記憶可能な記憶部１５０、各部を制御する制御部１６０等の基本構成を含む。ここには図示しないが、スマートフォン１００は、画像を撮像する撮像カメラ、音声を入力するマイクロフォン、音声を出力するスピーカなども搭載する。
【００２４】
制御部１６０は、マイクロコントローラまたは中央プロセッサ等を含み、好ましくは、予め用意されたアプリケーションソフトウエアまたはプログラムを実行することでＳＮＳの投稿情報の投稿や表示等を制御する。ある態様では、投稿者は、レストラン、店、ホテルなど施設を訪問したとき、その施設に関する文章、静止画、動画などの口コミ情報を投稿する。ある態様では、ユーザーは、ＳＮＳサーバから配信された投稿者の口コミ情報を閲覧したり、その口コミで紹介された施設等を目的地に設定し、その誘導経路の案内を受ける。
【００２５】
図４は、制御部１６０に含まれる機能ブロック図であり、ＳＮＳのアプリケーションが起動されたときに実行される基本的な機能を示す。制御部１６０は、入力部１１０から入力された情報等に基づき投稿情報を作成する投稿情報作成部１８０と、作成した投稿情報をＳＮＳサーバ２００へ送信する投稿情報送信部１８２と、ＳＮＳサーバ２００に対し投稿情報の送信を要求する投稿情報要求部１８４と、投稿情報を表示する投稿情報表示部１８６と、投稿情報に含まれる位置（例えば、投稿位置）を目的地に設定する目的地設定部１８８と、ユーザーがフォローする投稿者を決定するフォロー決定部１９０と、決定されたフォロー情報をＳＮＳサーバに通知するフォロー情報通知部１９２とを有する。
【００２６】
図５は、投稿情報の投稿動作を説明するフローチャートである。投稿者は、スマートフォン１００において投稿情報に関するアプリケーションを起動させる（Ｓ１００）。この起動により、スマートフォン１００は、ＳＮＳサーバ２００との通信が可能になる。好ましくは、ＳＮＳを利用するための条件として、ユーザー認証のためのユーザーアカウント、パスワードなどのログインが求められる。但し、ユーザー認証は、このタイミングに限らず、投稿情報を送信する際に行われるようにしてもよい。また、ユーザー認証は必ずしも必須ではない。
【００２７】
アプリケーションの起動に伴い、現在位置取得部１３０によって、スマートフォン１００の現在位置情報が取得される（Ｓ１０２）。現在位置情報の取得の方法は、公知の手段を利用して行われる。例えば、スマートフォン１００がＧＰＳ受信機を搭載している場合にはその緯度、経度の座標情報、ジャイロセンサや加速度センサなどの自立航法センサを内蔵している場合には、その位置情報から現在位置情報が算出される。また、これ以外にも、通信部１４０を介して外部からスマートフォン１００の現在位置情報を取得することができる場合には、その現在位置情報を利用する。
【００２８】
投稿者によって、メニューなどから投稿情報の作製画面が選択されると、投稿情報作成部１８０は、入力部１１０から入力された口コミ情報に基づき投稿情報を作成する（Ｓ１０４）。必要に応じて画像や音声データが投稿情報に付加される。投稿情報の入力が完了すると、投稿者は、投稿情報に関連付けして現在位置情報を付加するか否かを選択する（Ｓ１０６）。その後、投稿者によって送信の指示がなされると、投稿情報送信部１８２は、作成された投稿情報をＳＮＳサーバに送信する（Ｓ１０８）。
【００２９】
図６は、投稿情報作成部１８０により作成される投稿情報の一例を示す図である。投稿情報は、投稿者ＩＤ、投稿日時、投稿内容、投稿位置情報を含んで構成される。投稿者ＩＤは、投稿者を識別する情報であり、例えば、ＳＮＳサーバの認証で用いられたユーザーアカウント、ユーザー名などを用いることができる。これ以外にも、投稿者を識別できる情報、例えばスマートフォンの電話番号などであってもよい。ここでは、スマートフォンの保有者である投稿者Ｐ１が示されている。投稿日時は、投稿情報が送信されるときの時間情報であり、例えば、○月○日○時○分などの情報である。これは、スマートフォン内の時計情報が利用される。投稿内容は、投稿者が入力したテキスト情報、投稿者がスマートフォンで撮像した画像情報、投稿者がスマートフォンで入力した音声情報を含むことができる。画像情報や音声情報は、公知の圧縮手段により圧縮され、ＭＰＥＧ、ＪＰＥＧなどに加工することができる。投稿位置情報は、上記したように、位置情報取得部１３０で取得されたスマートフォン１００の現在位置情報である。但し、ユーザーが投稿位置情報の付加を非選択とした場合には、投稿位置情報は投稿情報に付加されない。これらの投稿情報は、スマートフォン１００の記憶部１５０に、一定の期間、保持することができる。
【００３０】
また、投稿位置情報は、必ずしも現在位置取得部１３０で取得された位置情報に限定されない。上記の投稿情報の作成例では、スマートフォン１００の現在位置取得部１３０によって取得された現在位置を投稿位置情報として、図６の投稿情報に付加するが、実際には、投稿者が必ずしも施設等を訪問しそこで投稿情報を投稿するとは限らない。すなわち、自宅のＰＣや他の場所から投稿情報を投稿することも可能であり、この場合には、現在位置取得部１３０で取得された現在位置と投稿位置とが必ずしも一致しない。従って、投稿情報に含まれる地点情報は、現在位置取得部１３０により取得された位置以外であってもよい。例えば、投稿情報作成時に、スマートフォン１００の記憶部１５０または地図配信サーバに記憶されている地図データにアクセスし、そこから施設または地点を選択し、この施設の位置または地点を投稿位置情報とすることが可能である。あるいは、投稿情報作成時に、投稿内容に施設に関する静止画または動画（施設を撮像した画像、販売商品などを撮像した画像）を含める場合には、これらの画像の撮影位置を投稿位置情報とすることが可能である。また、投稿情報作成時に、投稿内容の文字列とスマートフォン１００の記憶部１５０または地図配信サーバに記憶されている地図データを比較することにより、施設名や住所などの位置を示す情報を抽出し、この抽出された位置を投稿位置情報とすることが可能である。さらに、ユーザーは、自分で住所等の投稿位置情報を入力することも可能である。このように投稿位置情報は、現在位置取得部１３０で取得された現在位置、地図データに記憶された位置情報、あるいはユーザーが入力した位置情報などであることができる。投稿位置情報の決定は、図５のステップＳ１０６の動作において実行され、現在位置取得部１３０による現在位置以外の位置情報に変更する場合には、ユーザーが最終的に投稿位置情報を決定するようにしてもよい。
【００３１】
再び図４を参照する。投稿情報要求部１８４は、スマートフォン１００がＳＮＳサーバ２００と通信可能な状態にあるとき、ＳＮＳサーバ２００に対して投稿情報を要求する。投稿情報の要求には、適宜、加重的な絞り込み条件を付加することが可能であり、その場合には、当該要求に加えて絞り込み条件もまたＳＮＳサーバ２００へ送信される。絞り込み条件は、例えば、選択された投稿者の投稿情報、スマートフォン１００の現在位置周辺の投稿位置情報をもつ投稿情報、当該スマートフォンに対して未配信の投稿情報、現在時刻から一定期間内に投稿された投稿情報などである。こうした絞り込み条件は、ＳＮＳのアプリケーションを実行するプログラムによって自動的に設定され、あるいはユーザー設定することができる。
【００３２】
投稿情報表示部１８６は、投稿情報作成部１８０によって作成された投稿情報、あるいはＳＮＳサーバ２００から配信された投稿情報を表示部１２０に表示させる機能を有する。投稿情報の表示態様は、特に制限されないが、例えば、投稿情報に投稿位置などの位置情報が付加されていれば、投稿情報は、地図上に表示させることができる。あるいは、投稿情報は、リスト状に整列させて表示させることも可能である。
【００３３】
図７Ａは、地図上に投稿情報を表示する例である。同図に示すように、スマートフォンの表示部１２０に現在位置Ｓの周辺地図が表示され、その地図上に、配信された投稿情報が表示される。ここでは、位置情報が付加された投稿情報が表示対象となる。投稿情報は、例えば、投稿位置に該当する施設Ｈ１、Ｈ２に吹き出し３００、３０２が表記され、その表記３００、３０２内に投稿者を識別できるような顔写真３１０、３１２と、投稿内容３２０、３２２が表示される。この表示形態は一例であり、投稿情報が存在する位置にアイコンが表示されてもよい。また、吹き出し表記３００、３０２をユーザーが選択することで、メニューが表示され、そのメニューの中から投稿情報の全体表示を選択すると、図７Ｂに示すような投稿情報の全体を閲覧可能なリスト状の画面に表示が切り替わる。また、スマートフォン１００が地図データベースを保有していない場合には、スマートフォン１００は、現在位置情報をＳＮＳサーバ２００に送信し、ＳＮＳサーバ２００が現在位置周辺の地図データをスマートフォン１００へ配信することが可能である。
【００３４】
図７Ａの表示画面において、ユーザーが所望の投稿情報を選択すると、そこにポップアップ形式のメニューが表示される。ユーザーは、そのメニューの中から目的地設定を選択することで、投稿情報が参照する施設Ｈ１、Ｈ２などの投稿位置を目的地に設定することができる。
【００３５】
図７Ｂは、投稿情報をリスト表示する例である。この表示態様では、スマートフォン１００の表示部１２０に、投稿情報がリスト状に表示される。図７Ｂの場合には、位置情報の有無に関わらず、配信された全ての投稿情報が表示対象となる。リスト内には、各投稿情報が列状に配列され、各投稿情報には、投稿者を識別するための投稿者の画像３３０、投稿内容３４０、投稿時間３５０、投稿位置３６０などが表示される。また、表示しきれない他の投稿情報をスクロールするためのスクロールキー３７０、選択された投稿情報の投稿位置を目的地に設定するための目的地設定キー３８０が表示される。投稿情報は、現在位置から近い順に並べてもよいし、投稿者ＩＤ順、投稿日時順に並べてもよい。この表示態様は、地図ＤＢを持たないスマートフォンなどで有効である。また、リスト画面内の投稿位置３６０を選択することで、図７Ａに示すような地図画面に切り替えることも可能である。図７Ｂのリスト表示画面において、所望の投稿情報を選択し、目的地設定キー３８０を入力することで、当該投稿情報の投稿位置を目的地に設定することができる。
【００３６】
図７Ｃは、さらに他の表示形態を示している。スマートフォンの表示部１２０には、タブ３９０−１〜３９０−ｎ、３９０−Ａが表示される。１つのタブが１人の投稿者に割り当てられ、タブを選択することで、該当する投稿者の投稿情報への表示の切替が可能である。例えば、ユーザーがタブ３９０−１を選択すると、これに対応する投稿者Ｐ１の投稿情報の一覧が表示される。また、最後のタブ３９０−Ａを選択すると、すべての投稿者Ｐ１−Ｐｎの投稿情報の一覧リストが表示される。リストには、例えば、投稿内容（テキスト、動画、音声等を含む）、投稿位置、投稿時間、ユーザーによって閲覧されたか否か（または新着情報であるか否か）を識別する未読フラグが含まれている。また、スクロールキー３７０は、画面に表示しきれない投稿情報をスクロールさせ、目的地設定キー３８０は、選択された投稿情報を目的地に設定する。
【００３７】
好ましい態様では、図７Ｃに示す表示形態は、ユーザーがフォローする投稿者を決定したときに表示される。もし、ユーザーが、投稿者Ｐ１、Ｐ２をフォローすると決定したならば、図７Ｃに示す画面には、投稿者Ｐ１、Ｐ２のタブが表示される。タブにより投稿者の切り替えは、投稿者の数が少ない場合には、効果的であるが、もし、投稿者の数が数百ないし数千になった場合には、その数に対応するタブを表示することはもはや現実的ではない。
【００３８】
再び図４を参照する。目的地設定部１８８は、図７Ａないし図７Ｃのような表示態様において投稿情報が選択され、これが目的地に指定されると、投稿情報に含まれる投稿位置を抽出し、当該投稿位置を目的地に設定する。スマートフォン側において、地図データや誘導経路を探索する機能を備えている場合には、現在位置取得部１３０によって現在位置Ｓから目的地までの誘導経路が探索され、誘導経路の案内が開始される。スマートフォン側で地図データ等を備えていない場合には、スマートフォン１００からＳＮＳサーバ２００に対し、現在位置情報および設定された目的地情報が送信され、ＳＮＳサーバ２００は、地図ＤＢ２２４や案内情報ＤＢ２２６を利用して地図データおよび誘導経路情報をスマートフォン１００に配信し、スマートフォン側で目的地までの案内が開始される。
【００３９】
フォロー決定部１９０は、ユーザーによって投稿情報に含まれる投稿位置が目的地に設定されたとき、当該投稿情報を投稿した投稿者がユーザーにとってのお気に入りであると推定し、当該投稿者をフォローに決定する。例えば、ユーザーが、投稿者Ｐ１の投稿情報を閲覧し、そこに含まれる投稿位置を目的地に設定した場合には、ユーザーのお気に入りが投稿者Ｐ１であると推定し、フォロー決定部１９０は、ユーザーが投稿者Ｐ１をフォローすると決定する。このように、投稿情報が目的地に設定された場合には、その投稿情報を投稿した投稿者が自動的にフォローに決定される。但し、フォローの決定には、いくつかの条件を加重してもよい。例えば、投稿者の選択回数が一定数を超えた場合に、当該投稿者をフォローに決定するようにしてもよい。さらに、一定期間内に実施された全ての目的地設定の回数における当該投稿者の選択の割合が一定値を越えた場合に、当該投稿者をフォローに決定するようにしてもよい。また、フォロー決定部１９０は、ユーザーからの指示に応じて決定されたフォローを変更または取り消すことも可能である。なお、本実施例では、単にユーザーが投稿情報を閲覧しただけでは、当該投稿情報の投稿者をフォローに決定しない。これは、ユーザーが施設などに興味を示しているにすぎず、真に投稿者に興味を持っていれば、投稿者に会うために投稿位置を目的地に設定すると考えられるからである。フォロー決定部１９０は、目的地の設定が行われるたびに、フォローを決定する。
【００４０】
フォロー情報通知部１９２は、フォロー決定部１９０によって決定されたフォロー情報をＳＮＳサーバ２００に送信する。また、目的地が設定されるたびに、フォロー情報が通知されるが、フォローする投稿者が新規でない場合には、フォロー情報の通知は省略することができる。
【００４１】
次に、図３のＳＮＳサーバ２００について説明する。ＳＮＳサーバ２００は、ネットワークＮＷを介してスマートフォン１００等とデータ通信を行う通信部２１０、記憶部２２０および各部を制御する制御部２３０の基本構成を含んで構成される。通信部２１０は、ＴＣＰ／ＩＰなどの通信プロトコルにより、ＳＮＳのアプリケーションが起動されたスマートフォンやその他の機器との間で、インターネットやイントラネットを介した通信を可能にする。記憶部２２０は、投稿者からの投稿情報を蓄積し、投稿情報をデータベース化した投稿情報ＤＢ２２２、地図データを備えていないスマートフォン１００等へ地図データを配信するための地図データをデータベース化した地図ＤＢ２２４、目的地までの誘導経路の探索機能等や案内機能を備えていないスマートフォン１００等へ誘導経路や案内情報を配信するための情報をデータベース化した案内情報ＤＢ２２６とを備えている。制御部２３０は、マイクロコントローラまたは中央プロセッサ等を含み、好ましくは、予め用意されたアプリケーションソフトウエアまたはプログラムを実行することでＳＮＳ、データベース構築および通信等を制御する。
【００４２】
図８に、ＳＮＳサーバの制御部２３０の主要な機能を表したブロック図を示す。制御部２３０は、投稿情報ＤＢ２２２、地図ＤＢ２２４、案内情報ＤＢ２２６のデータベースを構成するデータベース構成部２４０、スマートフォン１００からフォロー情報を受信するフォロー情報受信部２４２、受信したフォロー情報に基づきユーザーと当該ユーザーがフォローする投稿者との関係を管理するフォロー／フォロワー管理部２４４、新規の投稿情報があったことを通知すべきユーザーをフォロー／フォロワー管理部２４４の管理情報に基づき特定するユーザー特定部２４６と、ユーザー特定部で特定されたユーザーのスマートフォン１００に対し、新規の投稿情報を提供する新規投稿情報提供部２４８と、投稿情報やその他必要に応じて地図データや誘導経路などの情報を送信可能な情報送信部２５０を有する。
【００４３】
データベース構成部２４０は、投稿者から投稿情報を受信すると、それを記憶部２２０に逐次蓄積し、投稿情報ＤＢ２２２を構築する。図９Ａは、投稿情報ＤＢ２２２の一例である。投稿情報ＤＢ２２２には、種々の投稿者Ｐ１〜Ｐｎからの投稿情報が登録される。それぞれの投稿情報は、投稿者ＩＤ、投稿日時、投稿内容、投稿位置情報を含むが、最後の投稿者Ｐ３のように、もし、投稿情報に投稿位置情報が関連付けされていなければ、投稿情報は投稿位置情報を包含しない。制御部２３０は、このようなデータベースを参照して、投稿者のＩＤ、投稿日時などによって投稿情報を検索、またはソートしたり、あるいはキーワードなどによって投稿内容を検索することが可能である。フラグの設定は、任意であるが、フラグを利用して新規な投稿情報であるか否か、あるいは未配信の投稿情報であるか否かを判別することができる。
【００４４】
図９Ｂは、投稿情報ＤＢに含まれる投稿者データベースの一例である。投稿者のデータベースは、予めＳＮＳに登録された投稿者から作成されるか、あるいは図９Ａの投稿情報から投稿者を抽出することによって作成される。一つの例では、同図に示すように、投稿者毎に、投稿者自身の画像や音声、投稿者のプロファイル情報が関連付けされる。また、ＳＮＳサーバは２００、スマートフォン１００からの要求に応答して、図９Ｂに示す投稿者データベースの全体またはその一部をスマートフォン１００に送信することができる。
【００４５】
地図ＤＢ２２４は、道路地図データ、施設データなどの情報を備えている。道路地図データは、道路を識別するリンクデータ、交差点を示す交差点データなどを含んでいる。施設データは、レストラン、ガソリンスタンド、ホテル、観光名所等のＰＯＩを含んでいる。好ましい例では、道路地図データは、一定の緯度、経度の幅をもつ図葉単位で管理され、必要な図葉単位の道路地図データを、地図ＤＢを保持しないスマートフォン１００へ提供することができる。
【００４６】
案内情報ＤＢ２２６は、投稿者自身による音声、画像などを用いた、右折、左折、直進、Ｕターンなどの案内情報を予め含んでいる。投稿者による誘導方向を示した静止画または動画、投稿者による音声による、例えば、「左折してください」、「直進してください」、「右折してください」等の音声データなどが案内情報ＤＢ２２６に格納されている。好ましくは、目的地が設定されたとき、フォロー情報に基づき、フォローすると決定した投稿者の案内情報が自動的に選択される。但し、投稿者の案内情報は、ユーザーによって任意に選択可能であり、その情報はスマートフォン１００からＳＮＳサーバ２００へ通知される。
【００４７】
フォロー情報受信部２４２は、スマートフォン１００からフォロー情報を受け取ると、フォロー情報をフォロー／フォロワー管理部２４４へ提供する。フォロー／フォロワー管理部２４４は、フォロワーとしての投稿者とフォローとしてのユーザーとの関係、すなわちユーザー毎にフォローされる投稿者を管理する。図１０は、フォロー／フォロワー管理部２４４の管理テーブルの一例である。フォロー／フォロワー管理部２４４は、スマートフォン１００からフォロー情報を受信すると、当該スマートフォンに該当するユーザーＩＤを検索し、そこにフォローする投稿者ＩＤを追加または更新する。図の例では、ユーザーＵ１がフォローする投稿者は、Ｐ２、Ｐ３であり、ユーザーＵ２がフォローする投稿者は、Ｐ１、Ｐ２、Ｐ３、Ｐ７である。ユーザーＵ３には、未だフォローする投稿者が登録されていない。この管理テーブルの情報は、ユーザー特定部２４６によって参照される。
【００４８】
図１１に、フォロー／フォロワー管理部の管理テーブル作成フローを示す。フォロー／フォロワー管理部２４４は、スマートフォンからフォロー情報を受け取ると（Ｓ２００）、当該フォロー情報に基づき、ユーザーＩＤおよびフォローすべき投稿者ＩＤを識別する（Ｓ２０２）。次に、フォロー／フォロワー管理部２４４は、図１０に示す管理テーブルを参照し、該当するユーザーＩＤに、フォローする投稿者ＩＤが既登録か否かを判定し（Ｓ２０４）、登録されていない場合には、投稿者ＩＤを登録してルーチンを終了する（Ｓ２０６）。
【００４９】
ユーザー特定部２４６は、投稿者からの投稿情報が受信されたとき、その投稿者の新規な投稿情報を通知すべきユーザーを管理テーブルに基づき決定する。言い換えれば、ユーザー特定部２４６は、当該投稿者をフォローに決定したユーザーを特定する。図１０の例であれば、仮に、投稿者Ｐ１からの新規な投稿情報が投稿された場合には、投稿者Ｐ１をフォローに決定しているユーザーＵ２、ユーザーＵｎが特定され、投稿者Ｐ２からの新規な投稿情報が投稿された場合には、投稿者Ｐ２をフォローに決定しているユーザーＵ１、ユーザーＵ２が特定される。新規投稿情報提供部２４８は、ユーザー特定部２４６によって特定されたユーザーに新規な投稿情報を提供する。すなわち、投稿情報が受信されたとき、当該投稿情報を、ユーザー特定部２４６で特定されたユーザーに送信する。
【００５０】
図１２に、新規な投稿情報の配信動作を説明する動作フローの一例を示す。ＳＮＳサーバ２００に投稿者からの投稿情報が受信されると（Ｓ３００）、ユーザー特定部２４６は、受信した投稿情報の投稿者ＩＤを識別する（Ｓ３０２）。次に、ユーザー特定部２４６は、図１０に示す管理テーブルを参照し、投稿者ＩＤに対応するユーザーＩＤ、すなわちフォローを設定しているユーザーを特定する（Ｓ３０４）。次に、新規投稿情報提供部２４８は、投稿情報データベース２２２（図９）を参照し、識別された投稿者ＩＤの新規な投稿情報をフラグを参照して判別し、特定されたユーザーに新規な投稿情報を送信する（Ｓ３０８）。
【００５１】
次に、本実施例の表示システムの全体の動作について図１３のフローチャートを参照して説明する。ここでは、ＳＮＳのユーザーがスマートフォン１００を使用し、スマートフォンの表示部１２０に投稿情報を表示させ、表示された投稿情報に含まれる投稿位置を目的地に設定するときに、同時に当該投稿者がフォローに決定されるものとする。
【００５２】
ユーザーは、スマートフォン１００において投稿情報に関するサービスを利用するためのＳＮＳアプリケーションソフトウエアを起動する（Ｓ４００）。これにより、スマートフォン１００とＳＮＳサーバ２００との間でユーザー認証が実行される（Ｓ４０２）。ユーザー認証が完了すると、制御部１６０の投稿情報要求部１８４（図４）は、通信部１４０を介してＳＮＳサーバ２００に対し、投稿情報の配信を要求する（Ｓ４０４）。なお、投稿情報の配信要求は、任意のタイミングで行うことが可能であり、好ましくは、ＳＮＳアプリケーションにより自動的に実行されるが、ユーザーからの指示に応じて実行されるようにしてもよい。さらに一旦ユーザー認証されたスマートフォンであれば、投稿情報の配信要求は必ずしも必須ではなく、ＳＮＳサーバ２００が投稿情報を受信した時点で、新規は投稿情報がユーザーに配信される。
【００５３】
ＳＮＳサーバ２００は、投稿情報の配信要求を通信部２１０を介して受け取ると（Ｓ４０６）、配信要求を行ったスマートフォンに対し投稿者の投稿情報を送信する。送信される投稿情報は、ユーザーがその範囲を選択することも可能である。例えば、スマートフォンの現在位置から一定距離にある投稿情報に制限したり、現在時刻から一定時間内の投稿情報などに制限することができる。前者の場合には、スマートフォン１００から現在位置情報がＳＮＳサーバ２００へ送信される。
【００５４】
スマートフォン１００は、投稿情報を受信すると、投稿情報表示部１８６は、受信した投稿情報を表示部２１０に表示する（Ｓ４０８）。この表示態様は、前述したように、例えば図７Ａに示すように地図上に表示されたり、図７Ｂに示すようにリスト状に表示されたり、図７Ｃに示すようにタブによる投稿者の切替可能に表示される。次に、表示部に表示された投稿情報の内容が閲覧され、投稿者は、気に入った投稿者の投稿情報の投稿位置を目的地に設定する（Ｓ４１０）。
【００５５】
投稿情報に含まれる投稿位置が目的地に設定されると、フォロー決定部１９０は、目的地設定された投稿情報の投稿者を識別し、ユーザーにとって当該投稿者がお気に入りであると推定し、当該投稿者をフォローに決定する（Ｓ４１２）。そして、フォロー情報通知部１９２は、フォロー情報をＳＮＳサーバ２００へ送信する（Ｓ４１４）。ＳＮＳサーバ２００のフォロー情報受信部２４２によってフォロー情報が受信され（Ｓ４１６）、このフォロー情報がフォロー／フォロワー管理部２４４へ提供され、フォロー／フォロワー管理部２４４は、図１１に示すようなフローに従い、図１０に示すような管理テーブルを更新する（Ｓ４１８）。このように、ユーザーが投稿情報について目的地の設定をしたことに応答して、フォローする投稿者を自動的に決定するようにしたので、ユーザーはその都度、好みの投稿者を検索し、検索した投稿者をフォローに設定するような煩雑な作業から解放される。
【００５６】
その後、ＳＮＳサーバ２００に、投稿者からの投稿情報が受信、蓄積されたとき（Ｓ４２０）、ユーザー特定部２４６は、図１２に示すようなフローに従い、管理テーブルに基づき当該投稿者との間でフォロー／フォロワーの関係にあるユーザーを特定し、新規な投稿情報の投稿者をフォローするユーザーに一致するか否かを判定し（Ｓ４２２）、一致すれば、その新規な投稿情報が送信され（Ｓ４２４）、特定されたユーザーに配信される。この新規な投稿情報の配信を受けたスマートフォンの表示部１２０には、最新の投稿者の投稿情報が表示される（Ｓ４２６）。このように、ユーザーがフォローする投稿者が事前に管理テーブルに設定されているため、フォローする投稿者が投稿情報を投稿したとき、即座に、投稿情報がユーザーに配信され、ユーザーは、好みの投稿者の最新の口コミ情報を知ることができる。
【００５７】
次に、フォローする投稿者をマニュアル設定するときの動作例を図１４のフローに示す。スマートフォン１００において、種々の設定等を行うためのメニュー画面が表示部１２０に表示される（Ｓ５００）。メニュー画面からフォローを設定するためのユーザー入力が与えられると、スマートフォン１００からＳＮＳサーバ２００に対し、投稿者リストの配信が要求され、ＳＮＳサーバ２００は、図９Ｂに示すような投稿者データベースを参照し、投稿者データをスマートフォン１００に送信する。スマートフォン１００は、投稿者データを受け取ると、表示部１２０に投稿者リストを表示する（Ｓ５０２）。図１５は、投稿者リストの表示例である。投稿者リストの表示画面６００には、投稿者を識別する投稿者ＩＤ、投稿者の画像や音声情報、投稿者の特徴を記載したプロファイルなどが表示される。投稿者は、例えば、五十音順、または登録順などによって配列される。投稿者の数は、ＳＮＳの規模により異なるが、数百から数万に及ぶことが予想されるため、画面に表示しきれない投稿者の情報は、スクロールキー６１０によってスクロールされる。また、ここに図示しないが、キーワードなどを入力しこれに一致する投稿者を検索することも可能である。ユーザーは、フォロー決定キー６２０を押下することにより、任意の投稿者をフォローに決定することができる。
【００５８】
ユーザーによってフォローする投稿者が検索され、かつフォロー決定キー６２０により決定されると（Ｓ５０４）、フォロー決定部１９０（図４）は、当該投稿者をフォローするものと決定し、フォロー情報通知部１９２は、当該フォロー情報をＳＮＳサーバ２００へ通知する（Ｓ５０６）。
【００５９】
通常のマニュアルによるフォロー決定の動作では、メニュー画面の表示、投稿者リストの表示、投稿者の検索・決定といったユーザー操作が必要となる。本実施例では、上記したように、投稿情報に含まれる投稿位置を目的地に設定するユーザー操作が行われた場合、当該投稿情報の投稿者を自動的にフォローに決定するため、事実上、ステップＳ５００からＳ５０４までの操作を省略させることができる。
【００６０】
また、フォロー設定がされた場合、スマートフォンの表示部１２０には、図７Ｃに示すような、フォロー設定された投稿者の投稿情報を表示させることが望ましい。これにより、ユーザーは、フォローする投稿者の最新の投稿情報を、検索することなく即座に閲覧することが可能になる。
【００６１】
上記実施例では、スマートフォン１００がＳＮＳサーバ２００から投稿者リストの情報を受け取る例を示したが、スマートフォン１００がそのような投稿者リストの情報を保持している場合には、必ずしもＳＮＳサーバから投稿者リストの情報を受け取る必要はない。また、そのような場合には、スマートフォン１００の投稿者リストの情報は、適宜、ＳＮＳサーバからの更新情報によって更新することができる。
【００６２】
次に、本発明の第２の実施例について説明する。第１の実施例では、目的地の設定が行われたときに、その投稿情報の投稿者が自動的にフォローに決定されたが、第２の実施例では、目的地までの誘導経路を案内する案内者がユーザーによって選択されたとき、その案内者がフォローに自動的に決定されるものである。
【００６３】
図１６は、本発明の第２の実施例の動作を説明するフローチャートである。ステップＳ６００〜Ｓ６１０は、第１の実施例のときの図１３のステップＳ４００〜Ｓ４１０と同様であるため、説明を省略する。目的地を設定した後に、ユーザーは、目的地までの誘導経路の案内を行う案内者を選択する（Ｓ６１２）。もし、ユーザーが案内者の選択を行わない場合には、案内者は、目的地設定された投稿情報の投稿者であるが、目的地設定された投稿情報の投稿者と異なる案内者を嗜好する場合には、案内者を選択することができる。ここでの案内者とは、投稿者の中から選択されるものであり、つまり案内者と投稿者は重複する関係にある。従って、案内者の選択は、例えば、第１の実施例のときと同様に、図１５に示すような投稿者リスト情報と同様の案内者リスト情報を表示部１２０に表示させ、この中から案内者を選択させることができる。例えば、ユーザーは、投稿者Ｐ１による投稿情報について目的地を設定し、その誘導経路の案内を案内者Ｐ２によるものに設定することができる。
【００６４】
フォロー決定部１９０は、案内者が選択されると、その案内者（投稿者）をフォローに決定する（Ｓ６１４）。ユーザーが敢えて投稿者と異なる案内者を選択した場合には、ユーザーは、案内者がお気に入りであると推定されるためである。フォローが決定されると、フォロー情報通知部１９２がフォロー情報をＳＮＳサーバ２００へ通知する。
【００６５】
好ましい態様では、案内者が選択された場合、その案内者選択情報がＳＮＳサーバ２００に通知され、ＳＮＳサーバ２００は、案内情報ＤＢ２２６（図３）を参照し、該当する案内情報を選択し、これをスマートフォン１００へ配信する。これにより、誘導経路の案内を案内者自身の画像や音声を用いて行うことができる。その他の動作は、第１の実施例のときと同様である。
【００６６】
次に、本発明の第３の実施例について説明する。第１、第２の実施例では、スマートフォン側にフォローを決定する機能を持たせたが、第３の実施例では、フォローを決定する機能をＳＮＳサーバ側に持たせるものである。
【００６７】
図１７は、本発明の第３の実施例に係る表示システムの動作例を示すフローである。同図において、ステップＳ７００〜Ｓ７１０までは、第１、第２の実施例と同じなので説明を省略する。スマートフォン１００において、投稿情報の投稿位置を目的地にする設定が行われると（Ｓ７１０）、スマートフォン１００からＳＮＳサーバ２００へ目的地設定情報が送信される。目的地設定情報は、少なくとも、目的地が設定された投稿情報を識別する情報を含んでいる。ＳＮＳサーバ２００は、目的地設定情報を受け取ると、その投稿情報の投稿者をフォローに決定し（Ｓ７１４）、決定されたフォロー情報がフォロー／フォロワー管理部２４４へ提供され、そこで管理テーブルが更新される（Ｓ７１６）。以後の動作は、第１、第２の実施例のときと同様に行われる。
【００６８】
なお、目的地設定を行った後に、第２の実施例のときのように、ユーザーが誘導経路の案内者を選択した場合には（Ｓ７１２）、案内者選択情報がＳＮＳサーバ２００へ通知され、ＳＮＳサーバ２００は、当該案内者選択情報に基づきフォローを決定する（Ｓ７１４）。このように、第３の実施例では、ＳＮＳサーバ２００側にフォローを決定する機能を設けることで、スマートフォン側の負荷を軽減することができる。
【００６９】
本発明は、上記実施例に限定されるものではなく、特許請求の範囲に記載された発明の要旨の範囲において、種々の変形・変更が可能である。また、本発明は、第１ないし第３の実施例をそれぞれ単独で実施すること、あるいは組み合わせて実施することも包含し得る。
【符号の説明】
【００７０】
１００：スマートフォン                      １１０：入力部
１２０：表示部                              １３０：現在位置取得部
１４０：通信部                              １５０：記憶部
１６０：制御部                              １８０：投稿情報作成部
１８２：投稿情報送信部                      １８４：投稿情報要求部
１８６：投稿情報表示部                      １８８：目的地設定部
１９０：フォロー決定部                      １９２：フォロー情報通知部
２００：ＳＮＳサーバ                        ２１０：通信部
２２０：記憶部                              ２３０：制御部
２４０：データベース構成部                  ２４２：フォロー情報受信部
２４４：フォロー／フォロワー管理部          ２４６：投稿情報選択部
２４８：情報送信部
【図１】
2014135026.tif 000003
【図２】
2014135026.tif 000004
【図３】
2014135026.tif 000005
【図４】
2014135026.tif 000006
【図５】
2014135026.tif 000007
【図６】
2014135026.tif 000008
【図７Ａ】
2014135026.tif 000009
【図７Ｂ】
2014135026.tif 000010
【図７Ｃ】
2014135026.tif 000011
【図８】
2014135026.tif 000012
【図９Ａ】
2014135026.tif 000013
【図９Ｂ】
2014135026.tif 000014
【図１０】
2014135026.tif 000015
【図１１】
2014135026.tif 000016
【図１２】
2014135026.tif 000017
【図１３】
2014135026.tif 000018
【図１４】
2014135026.tif 000019
【図１５】
2014135026.tif 000020
【図１６】
2014135026.tif 000021
【図１７】
2014135026.tif 000022